(57)【要約】【課題】ＦＰＣ基板の剥離やその内部配線の断線のかなり早い段階での検知を行い、その結果を報知する液晶表示装置を提供する。【解決手段】パネル支持用ＦＰＣ基板１４には、一番外側の最も大きな応力がかかり切れ易い数ライン及び２番目の外側ラインの２番目に切れ易い数ラインのＣＨＫラインと、電位をグランドにする配線とを配設し、ＬＣＤドライブ基板の一部領域２０の断線検知回路は、断線を検知する論理和回路を備え、ＩＮＰＵＴ１，２端子に入力される信号は、検知用ダイオードＤ１，Ｄ２によって論理和演算され、その出力により検知用トランジスタ２６が駆動され、ＣＨＫ端子にその結果が現れる。【選択図】図１
2008015287.tif 000002
【特許請求の範囲】
【請求項１】
映像を表示する液晶パネルと、該液晶パネルを駆動する液晶ドライバ基板と、前記液晶パネルと前記液晶ドライバ基板との駆動信号の授受を行うための駆動信号用配線を施している制御用フレキシブル回路基板と、を備えた液晶表示装置であって、
前記液晶パネルと前記液晶ドライバ基板との間に配設し、断線又は剥離を検知するための検知用ラインが施されている前記制御用フレキシブル回路基板より長さが短い支持用フレキシブル回路基板を備え、
前記液晶ドライバ基板に搭載されている前記検知用ラインの状態を検知する検知回路により、前記制御用フレキシブル回路基板に施されている前記駆動信号用配線の断線又は剥離を生じる前に、前記支持用フレキシブル回路基板に施されている前記検知用ラインの断線又は剥離を検知することを特徴とする液晶表示装置。
【請求項２】
前記支持用フレキシブル回路基板は、前記液晶パネルと前記液晶ドライバ基板に取り付けるための着脱可能なコネクタを備え、
前記検知用ラインの断線又は剥離が検出された後、前記コネクタを脱着して、前記支持用フレキシブル回路基板を迅速に、交換するようにしたことを特徴とする請求項１に記載の液晶表示装置。
【請求項３】
前記支持用フレキシブル回路基板に施されている前記検知用ラインは、前記支持用フレキシブル回路基板の最も外側に配設された第１の検知用ラインと、前記第１の検知用ラインの内側に配設した第２の検知用ラインとからなり、
前記第１の検知用ラインは、軽度の破損を検出するための検知用ラインであり、第２の検知用ラインは、重度の破損を検出するための検知用ラインであることを特徴とする請求項１又は請求項２に記載の液晶表示装置。
【請求項４】
前記液晶ドライバ基板は、前記第２の検知用ラインが破損し、前記検知回路により重度の破損が検出され、検出結果を外部装置に出力した場合、該外部装置より生成される重度の破損であることを報知する警告情報を受信し、前記液晶パネルに該警告情報を表示するようにしたことを特徴とする請求項３に記載の液晶表示装置。
【発明の詳細な説明】
【技術分野】
【０００１】
本発明は、フレキシブル回路基板を使用した液晶表示装置に関し、特に、フレキシブル回路基板の負荷の軽減や破損を防ぐ液晶表示装置に関する。
【背景技術】
【０００２】
従来、液晶表示装置の製造においては、いわゆるセル工程に続くモジュール化工程において、液晶パネルに対してこれを駆動するための半導体素子が実装されるとともに、この半導体素子に伝送信号又は電源を供給する液晶表示（ＬＣＤ；Ｌｉｑｕｉｄ  Ｃｒｙｓｔａｌ  Ｄｉｓｐｌａｙ）配線基板が配設される。
【０００３】
このＬＣＤ配線基板は、液晶を狭持している液晶パネルの基板の外周端縁に複数個所定の間隔で直接配設され、液晶表示装置の小型化・薄型化の実装スペースの縮小化に伴い、フレキシブル回路（Ｆｌｅｘｉｂｌｅ  Ｐｒｉｎｔｅｄ  Ｃｉｒｃｕｉｔ；以下、ＦＰＣと略称する）基板のような可撓性基板が用いられることが多くなっている。
【０００４】
そして、このＬＣＤ配線基板の他方の端に液晶パネルを駆動するための半導体素子群を制御するＬＣＤ駆動制御基板が接続されており、この制御基板からの制御信号及び電源を液晶パネルに供給する構造となっている。
【０００５】
上記のような構造において、液晶パネルの大型化に伴い、周囲の温度変化があった場合、液晶を狭持している液晶パネルの基板とＬＣＤ駆動制御基板の熱膨張率の相違や、振動等が生じた場合における液晶パネル自体の質量の増大に起因して、液晶パネルとＬＣＤ駆動制御基板とを接続する上記ＦＰＣ基板の剥離やその内部配線の断線などの機構的な弊害が生じている。
【０００６】
このような状況下にあって、例えば、特許文献１には、熱膨張によるＰＰＣ配線基板の剥離を防ぐ技術が開示されている。しかし、この方法では、振動等があった場合、却って上記に記載した液晶パネルの大型化による質量増加に起因して、液晶パネルの中央付近に応力がかかり、液晶パネルそのものが破損する可能性がある。
【０００７】
そこで、現状の大型液晶パネルでは、四隅を調整可能で、かつ緩衝物が付加された位置決め金具でぴったりと固定し、液晶パネルそのものが破損しないように振動を抑える工夫がなされている。
【０００８】
しかしながら、上記のような工夫を行ったとしても、液晶パネルのガラス自体に余計な圧力をかけると破損してしまうため、完全に液晶パネルを固定するように締め付けることが出来ない。
【０００９】
そのため、緩衝物が熱膨張等で変質してしまうと、固定が緩んで振動の影響を受けてしまい、ＦＰＣ基板の剥離やその内部配線の断線といった問題が依然として解決されずに残ってしまうとともに、この剥離や断線によって引き起こされるＩＣ等の破壊がさらに危険な状態（発火等）を引き起こすこともある。
【００１０】
そこで、特許文献２では、ＦＰＣ基板内に制御信号用ラインとは別に、エラー検知用ラインを設け、ＦＰＣ基板の剥離やその内部配線の断線の早い段階での検知を行い、この検出結果により液晶パネルへの制御信号又は電源の供給を直ちに停止させることによってＦＰＣ基板の更なる破壊を未然に防止する技術を開示している。
【特許文献１】特開２００３−３２２８７０号公報
【特許文献２】特開２００３−２６２８８４号公報
【発明の開示】
【発明が解決しようとする課題】
【００１１】
しかしながら、特許文献２の技術では、エラー検知用ライン（以下、ＣＨＫラインと表記する）をＦＰＣ基板の両端に設けたものの、応力に対してＣＨＫが制御信号ライン（以下、Ｓラインと表記する）とほぼ同じ強度となり、ＣＨＫラインが切れるほどの応力が加わった場合にＳラインも同時に切れてしまう可能性がある。
【００１２】
そのため、ＳラインよりＣＨＫラインの強度をかなり弱くする必要があるが、そうしてしまうことで本来のＦＰＣ基板の限界強度よりも弱い力でエラーを検知することになり、結果として、相対的にＦＰＣ基板の強度を弱めてしまうという問題点がある。
【００１３】
そこで、本発明は、上記従来の問題点に鑑みて提案されたものであって、ＦＰＣ基板の強度を保持し、ＦＰＣ基板の剥離やその内部配線の断線のかなり早い段階での検知を行い、その結果を報知する液晶表示装置を提供しようとするものである。
【課題を解決するための手段】
【００１４】
上記課題を解決するために、本発明に係る液晶表示装置は、以下の特徴を備えている。
【００１５】
本発明に係る液晶表示装置は、映像を表示する液晶パネルと、該液晶パネルを駆動する液晶ドライバ基板と、前記液晶パネルと前記液晶ドライバ基板との駆動信号の授受を行うための駆動信号用配線を施している制御用フレキシブル回路基板と、を備えた液晶表示装置であって、前記液晶パネルと前記液晶ドライバ基板との間に配設し、断線又は剥離を検知するための検知用ラインが施されている前記制御用フレキシブル回路基板より長さが短い支持用フレキシブル回路基板を備え、前記液晶ドライバ基板に搭載されている前記検知用ラインの状態を検知する検知回路により、前記制御用フレキシブル回路基板に施されている前記駆動信号用配線の断線又は剥離を生じる前に、前記支持用フレキシブル回路基板に施されている前記検知用ラインの断線又は剥離を検知することを特徴とする。
【００１６】
また、本発明に係る液晶表示装置において、前記支持用フレキシブル回路基板は、前記液晶パネルと前記液晶ドライバ基板に取り付けるための着脱可能なコネクタを備え、前記検知用ラインの断線又は剥離が検出された後、前記コネクタを脱着して、前記支持用フレキシブル回路基板を迅速に、交換するようにしたことを特徴とする。
【００１７】
また、本発明に係る液晶表示装置において、前記支持用フレキシブル回路基板に施されている前記検知用ラインは、前記支持用フレキシブル回路基板の最も外側に配設された第１の検知用ラインと、前記第１の検知用ラインの内側に配設した第２の検知用ラインとからなり、前記第１の検知用ラインは、軽度の破損を検出するための検知用ラインであり、第２の検知用ラインは、重度の破損を検出するための検知用ラインであることを特徴とする。
【００１８】
また、本発明に係る液晶表示装置において、前記液晶ドライバ基板は、前記第２の検知用ラインが破損し、前記検知回路により重度の破損が検出され、検出結果を外部装置に出力した場合、該外部装置より生成される重度の破損であることを報知する警告情報を受信し、前記液晶パネルに該警告情報を表示するようにしたことを特徴とする。
【発明の効果】
【００１９】
上記のように構成された本発明に係る液晶表示装置は、以下のような優れた効果を奏しえる。
【００２０】
本発明に係る液晶表示装置によれば、支持用フレキシブル回路基板上に断線又は剥離を検知する検知用ラインを設けることによって、制御信号ラインの破損による液晶パネルの重大な障害を生じる前にかなり早い段階で検知し未然に防ぐことができる。
【００２１】
また、本発明に係る液晶表示装置によれば、支持用フレキシブル回路基板の両端に着脱可能なコネクタを設けることによって、断線等の検知終了後に、このコネクタを着脱して交換することができるため、故障に対する迅速な対応を行うことが可能である。
【００２２】
また、本発明に係る液晶表示装置によれば、液晶パネルが破損する前に、異常状態を検知し、外部装置に結果出力することで、その結果に基づき生成される警告情報を表示しユーザ等に即座に警告を発することが可能である。
【発明を実施するための最良の形態】
【００２３】
以下、本発明係る液晶表示装置の一実施形態について図面を参照して説明する。
【００２４】
図１〜図５は発明に係る液晶表示装置を実施する形態の一例であって、図中、同一の符号を付した部分は同一物を表わすものとする。
【００２５】
図１（ａ）は、支持用ＦＰＣ基板及び制御用ＦＰＣ基板の取り付け位置の例を示す図であり、（ｂ）は、支持用ＦＰＣ基板及び制御用ＦＰＣ基板の長さを示す図である。
【００２６】
図１（ａ）に示すように、液晶表示装置１は、液晶パネル１０とＬＣＤドライブ基板１１とを接続するＦＰＣ基板として、パネル制御用ＦＰＣ基板（１３ａ〜１３ｄ）とパネル支持用ＦＰＣ基板（１４ａ〜１４ｆ）と、液晶パネル１０を駆動する液晶ドライブ基板１１（以下、ＬＣＤドライブ基板という）と、を備えて構成される。
【００２７】
また、パネル支持用ＦＰＣ基板（１４ａ〜１４ｆ）は、それぞれ液晶パネル１０及びＬＣＤドライブ基板１１から着脱可能なコネクタ（１２ａ〜１２ｌ）を備えている。
【００２８】
これらのパネル支持用ＦＰＣ基板に配設されているＣＨＫライン（詳細については後記する）が断線した場合に、これらのコネクタを脱着し、パネル支持用ＦＰＣ基板を取り替えることで、迅速かつ容易に故障対応することが可能な構造となっている。
【００２９】
そして、従来、パネル制御用ＦＰＣ基板内にＳライン及びＣＨＫラインの両方を合わせて設けていたが、ＣＨＫラインを分離し、パネル支持用ＦＰＣ基板（１４ａ〜１４ｆ）内に配設し、図１（ｂ）に示すように、パネル制御用ＦＰＣ基板１３の長さｄ１がパネル支持用ＦＰＣ基板１４の長さｄ２より長さｄ３分短くした構造となっている。
【００３０】
このような構造にすることによって、パネル制御用ＦＰＣ基板１３にかかる負荷を軽減し、ＳラインとＣＨＫラインの両方に同レベルの力がかかることなくなるため、ＣＨＫラインの強度を下げる必要もなく、結果としてＦＰＣ基板全体の強度を強くすることができる。
【００３１】
次に、パネル支持用ＦＰＣ基板１４内のＣＨＫラインの配線とＣＨＫラインと接続するＬＣＤドライブ基板１１内に設けられている断線検知用回路の構成及び動作について以下に説明する。
【００３２】
図２（ａ）は、ＬＣＤドライブ基板と液晶表示装置間を接続する支持用ＦＰＣ基板の断線検知回路の概要説明図である。（ｂ）は、断線検知回路における論理和回路の回路図である。
【００３３】
図３は、断線検知信号を伝達するための断線検知配線を示す図である。
【００３４】
さらに、図４は、液晶テレビの概略ブロック図であり、断線を検知した場合の対処方法を示している。
【００３５】
図２（ａ）に示すように、パネル支持用ＦＰＣ基板１４の一部領域２４には、一番外側の最も大きな応力がかかり切れ易い数ライン（ここでは、２５ａ、２５ｃの１本づつ図示している）及び２番目の外側ラインの２番目に切れ易い数ライン（ここでは、２５ｂ、２５ｄの１本づつ図示している）のＣＨＫラインと、電位をグランドにする配線とが配設されている。
【００３６】
また、ＬＣＤドライブ基板の一部領域２０には、断線検知回路が図示されている。この断線検知回路は、ＣＨＫライン２５ａ又はＣＨＫライン２５ｃの断線を検知する論理和回路２１ａと、ＣＨＫライン２５ｂ又はＣＨＫライン２５ｄの断線を検知する論理和回路２１ｂとを備えている。
【００３７】
図２（ｂ）には、この論理和回路２１の具体的回路図を示している。この回路において、ＩＮＰＵＴ１，２端子に入力される信号は、検知用ダイオードＤ１，Ｄ２によって論理和演算され、この出力により検知用トランジスタ２６が駆動され、ＣＨＫ端子にその結果が現れる。
【００３８】
通常、ＩＮＰＵＴ１，２端子は、例えばＣＨＫライン２５ａ、２５ｃによってＬＯＷになっているため、検知用トランジスタ２６は駆動されずＨｉとなっている。
【００３９】
ここで、ＣＨＫライン２５ａ、２５ｃのどちらか一方が応力によって断線すると、プルアップ抵抗２２ｂ、２２ｃを介して電源Ｖｃｃが印加されてＩＮＰＵＴ１，２のどちらかがＨｉとなり、検知用トランジスタ２６が駆動し、ＣＨＫ端子がＬＯＷとなる。
【００４０】
結果、ＣＨＫ端子の論理レベルがＨｉ→ＬＯＷに変化することによって、ＣＨＫラインの断線を検知することができる。
【００４１】
このように、論理和回路２１ａは、ＣＨＫライン２５ａ、２５ｂにより軽度の異常状態を検知することができ、また、論理和回路２１ｂは、ＣＨＫライン２５ｂ、２５ｄにより重度の異常状態を検知することができる。
【００４２】
図３に、映像信号を生成する信号処理基板３０と、生成された映像信号から本液晶表示装置１のＬＣＤドライブ基板１１を制御するための制御信号を生成するＬＣＤ制御基板３３とからなる液晶テレビ装置の基板構成例を示しているが、図中において、断線検知信号を伝達するための断線検知配線３６を介して、信号処理基板３０のマイコン３１により、ＣＨＫ１，２端子に発生する断線検知信号を検知する例を示している。
【００４３】
また、図４には、液晶テレビの概略機能ブロックを示しているが、液晶表示装置１から発生する断線検知信号は、ＬＣＤコントローラ４２を通過して、信号処理部（外部装置）４１のマイコンに入力される。
【００４４】
マイコン３１は、入力した断線検知信号がＣＨＫ１からの軽度のエラー信号の場合には、例えば、ＬＥＤ等を点灯させて警告し、ＣＨＫ２からの重度のエラー信号の場合には、例えば、エラー映像情報生成手段によりエラー映像情報を映像信号に載せて、本液晶表示装置１で警告表示する又はスピーカ等により音声出力して警告するようにしてもよい。
【００４５】
さらに、警告後、重度のエラーの場合には、液晶表示装置１に供給する電源を停止するようにしてもよい。
【００４６】
最後に、例えば、生産工程中における断線検査を行う場合のフローについて図５を用いて説明する。
【００４７】
先ず、液晶パネル１０に電源が供給されているか否かを判定し（ステップＳ１００）、供給されていなければ（ステップＳ１００；Ｎｏ）、ここで検査を終了し（ステップＳ１０２）、本処理も終了する。
【００４８】
一方、電源が供給されている場合には（ステップＳ１００；Ｙｅｓ）、ＦＰＣの断線検査を開始する（ステップＳ１０１）。
【００４９】
ＣＨＫ２の論理レベルを判定し（ステップＳ１０３）、論理レベルが「ＬＯＷ」であれば（ステップＳ１０４；ＬＯＷ）、重度の破損がＣＨＫラインに生じていると診断し、警告を液晶パネル１０等に表示し（ステップＳ１０４）、検査担当者等に対して注意の喚起を行い、本処理を終了する。
【００５０】
重度の破損は生じていないと判定された場合には（ステップＳ１０３；Ｈｉ）、ＣＨＫ１の論理レベルを判定し（ステップＳ１０５）、論理レベルが「ＬＯＷ」であれば（ステップＳ１０４；ＬＯＷ）、軽度の破損がＣＨＫラインに生じていると診断し、警告をＬＥＤの点灯、音声出力等を行い（ステップＳ１０７）、検査担当者等に対して注意の喚起を行い、本処理を終了する。
【００５１】
一方、ＣＨＫ１の論理レベルが「Ｈｉ」であれば（ステップＳ１０５；Ｈｉ）、ＦＰＣに断線がないと診断し（ステップＳ１０６）、本処理を終了する。
【００５２】
以上説明したように、ＣＨＫラインをパネル支持用ＦＰＣ基板に設けることにより、ＳラインとＣＨＫラインの両方に応力がかかることがなくなるため、直接制御信号ラインの破損を招くことがなく、重大な障害を未然に防ぐことが可能である。
【００５３】
尚、本発明に係る液晶表示装置は、上記した実施の形態に限定されるものではなく、本発明の要旨を逸脱しない範囲内において種々変更を加え得ることは勿論である。
【図面の簡単な説明】
【００５４】
【図１】（ａ）は、支持用ＦＰＣ基板及び制御用ＦＰＣ基板の取り付け位置の例を示す図である。（ｂ）は、支持用ＦＰＣ基板及び制御用ＦＰＣ基板の長さを示す図である。
【図２】（ａ）は、ＬＣＤドライブ基板と液晶表示装置間を接続する支持用ＦＰＣ基板の断線検知回路の概要説明図である。（ｂ）は、断線検知回路における論理和回路の回路図である。
【図３】断線検知信号を伝達するための断線検知配線を示す図である。
【図４】液晶テレビの概略のブロック図である。
【図５】断線検知処理の動作を示すフロー図である。
【符号の説明】
【００５５】
１  液晶表示装置
１０  液晶パネル
１１ａ、１１ｂ  ＬＣＤドライブ基板
１２ａ〜１２ｉ  パネル支持用ＦＰＣ基板コネクタ
１３、１３ａ〜１３ｄ  パネル制御用ＦＰＣ基板
１４、１４ａ〜１４ｆ  パネル支持用ＦＰＣ基板
２０  ＬＣＤドライブ基板の一部領域
２１ａ、２２ｂ  論理和回路部
２２ａ、２２ｂ、２２ｃ、２２ｄ  プルアップ抵抗
２３  パネル制御用ＦＰＣ基板との接続部分を含む液晶表示装置の一部領域
２４  パネル支持用ＦＰＣ基板の一部領域
２５ａ、２５ｂ、２５ｃ、２５ｄ  ＣＨＫライン
２６  検知用トランジスタ
２７ａ、２７ｂ  プルアップ抵抗
２８ａ、２８ｂ  論理和用ダイオード
３０  信号処理基板
３１  マイコン
３２  信号処理基板とＬＣＤ制御基板間のＦＰＣ基板
３３  ＬＣＤ制御基板
３４  ＬＣＤ制御基板とＬＣＤドライブ基板間のＦＰＣ基板
３５  断線検知用配線ライン
４０  液晶テレビ装置
４１  信号処理部
４２  ＬＣＤコントローラ
【図１】
2008015287.tif 000003
【図２】
2008015287.tif 000004
【図３】
2008015287.tif 000005
【図４】
2008015287.tif 000006
【図５】
2008015287.tif 000007